(57)【要約】【課題】コマ玩具を上方に向けて発射する虞のないコマ発射装置を提供すること。【解決手段】１つの回転軸６の両端に設けられた２つのコマ玩具保持体２，３と、操作子７及び回転軸６を含み、回転軸６介して２つのコマ玩具保持体２，３を回転させる回転駆動装置１０と、いずれか１つのコマ玩具保持体２又は３に装着されるキャップ８と、キャップ８がコマ玩具保持体２又は３に装着されていないときに例えば操作子７をロックし、キャップ８がコマ玩具保持体２又は３に装着されているときにキャップ８に係合してそのロックを解除する第１ロック機構２０と、コマ玩具保持体２又は３に装着されたキャップ８が下側にあるときにキャップ８に係合して例えば操作子７をロックし、キャップ８が上側にあるときにそのロックを解除する第２ロック機構３０と、を備えている。【選択図】図４
2020068970.tif 000002
【特許請求の範囲】
【請求項１】
１つの回転軸の両端に設けられた２つのコマ玩具保持体と、
操作子及び前記回転軸を含み、前記操作子の操作によって作動されて前記回転軸を介して前記２つのコマ玩具保持体を回転させる回転駆動装置と、
いずれか１つの前記コマ玩具保持体に装着されるキャップと、
前記キャップが前記コマ玩具保持体に装着されていないときに前記回転駆動装置内の動作部品及び前記コマ玩具保持体のいずれか１つの部品をロックして前記コマ玩具保持体の回転を阻止し、前記キャップが前記コマ玩具保持体に装着されているときに当該キャップに係合してそのロックを解除する第１ロック機構と、
前記コマ玩具保持体に装着された前記キャップが下側にあるときに当該キャップに係合して前記回転駆動装置内の動作部品及び前記コマ玩具保持体のいずれか１つの部品をロックして前記コマ玩具保持体の回転を阻止し、当該キャップが上側にあるときにそのロックを解除する第２ロック機構と、
を備えていることを特徴とするコマ発射装置。
【請求項２】
前記第２ロック機構は、前記回転軸に平行な面内で回動するシーソ体を備え、前記シーソ体は、一側のアームが他側のアームよりも軸回りの回転モーメントが大きく設定され重力作用によって回動されるように構成されるとともに、前記他側のアームの位置により、対応の前記部品のロックとロック解除を行うように構成され、前記他側のアームは、前記キャップによる前記シーソ体の回動規制により、対応の前記部品をロックし、前記シーソ体の回動規制解除によりロックを解除することを特徴とする請求項１に記載のコマ発射装置。
【請求項３】
前記第１ロック手段は、前記回転軸に直交する面内で回動するレバーを備え、前記レバーの位置により、対応の前記部品のロックとロック解除を行うように構成され、前記レバーは、スプリングによって付勢されて、対応の前記部品をロックし、前記コマ玩具保持体に装着される前記キャップにより前記レバーを前記スプリングの付勢力に抗して回動させてロックを解除することを特徴とする請求項１又は請求項２に記載のコマ発射装置。
【請求項４】
前記第１ロック機構及び前記第１ロック機構で前記操作子をロックすることを特徴とする請求項１〜３のいずれか一項に記載のコマ発射装置。
【請求項５】
前記操作子は前記回転軸に直交する面内で回動する操作レバーから構成されていることを特徴とする請求項４に記載のコマ発射装置。
【請求項６】
前記回転駆動装置は、前記コマ玩具保持体を回転させることで巻き上げられ、前記操作子の操作によって解旋されるゼンマイばねを動力源として備えていることを特徴とする請求項１〜５のいずれか一項に記載のコマ発射装置。
【発明の詳細な説明】
【技術分野】
【０００１】
本発明はコマ発射装置に関するものである。
【背景技術】
【０００２】
従来、装置ケースの上下にコマ玩具保持体が設置されたコマ発射装置が知られている。このコマ発射装置では、いずれか一方のコマ玩具保持体にコマ玩具を装着し、操作子を操作することによって回転駆動装置を作動させると、コマ玩具が回転付勢されて発射される。このコマ発射装置では、どちらのコマ玩具保持体にコマ玩具を取り付けるのかによって発射するコマ玩具の回転方向を変えることができる。
【０００３】
ところで、このコマ発射装置では、いずれか一方のコマ玩具保持体にコマ玩具を装着し発射させることになるが、操作子を操作したときに、コマ玩具が装着されたコマ玩具保持体だけでなく、コマ玩具が装着されていないコマ玩具保持体も同時に回転することとなる。そのため、コマ玩具が装着されていないコマ玩具保持体が外部の障害物に衝突して破損される虞がある。
そこで、このようなコマ発射装置として、常態で操作子をロックしておき、例えば、一方のコマ玩具保持体にキャップを装着させたときにだけ、ロックが解除されるものが考えられている（例えば、特許文献１参照）。
【先行技術文献】
【特許文献】
【０００４】
【特許文献１】実用新案登録第３１６０１５７号公報
【発明の概要】
【発明が解決しようとする課題】
【０００５】
しかしながら、特許文献１に開示されたコマ発射装置では次のような問題がある。
すなわち、コマ玩具は下方に向けて発射するものであるので、コマ玩具保持体にコマ玩具を装着した後は、コマ玩具を下側にして操作子を操作するのが普通である。
しかしながら、特許文献１に開示されたコマ発射装置では、一方のコマ玩具保持体にコマ玩具を装着した後、そのコマ玩具を上側にして操作子を操作しても、コマ玩具が発射できてしまう。この場合には、コマ玩具が装置ケースからこぼれ落ちてしまい、コマ玩具自体を破損する虞がある。
【０００６】
本発明は、誤発射を防止することができるコマ発射装置を提供することを目的とする。
【課題を解決するための手段】
【０００７】
第１の手段は、
１つの回転軸の両端に設けられた２つのコマ玩具保持体と、
操作子及び前記回転軸を含み、前記操作子の操作によって作動されて前記回転軸を介して前記２つのコマ玩具保持体を回転させる回転駆動装置と、
いずれか１つの前記コマ玩具保持体に装着されるキャップと、
前記キャップが前記コマ玩具保持体に装着されていないときに前記回転駆動装置内の動作部品及び前記コマ玩具保持体のいずれか１つの部品をロックして前記コマ玩具保持体の回転を阻止し、前記キャップが前記コマ玩具保持体に装着されているときに当該キャップに係合してそのロックを解除する第１ロック機構と、
前記コマ玩具保持体に装着された前記キャップが下側にあるときに当該キャップに係合して前記回転駆動装置内の動作部品及び前記コマ玩具保持体のいずれか１つの部品をロックして前記コマ玩具保持体の回転を阻止し、当該キャップが上側にあるときにそのロックを解除する第２ロック機構と、
を備えていることを特徴とするコマ発射装置である。
【０００８】
第２の手段は、第１の手段において、前記第２ロック機構は、前記回転軸に平行な面内で回動するシーソ体を備え、前記シーソ体は、一側のアームが他側のアームよりも軸回りの回転モーメントが大きく設定され重力作用によって回動されるように構成されるとともに、前記他側のアームの位置により、対応の前記部品のロックとロック解除を行うように構成され、前記他側のアームは、前記キャップによる前記シーソ体の回動規制により、対応の前記部品をロックし、前記シーソ体の回動規制解除によりロックを解除することを特徴とする。
【０００９】
第３の手段は、第１の手段又は第２の手段において、前記第１ロック手段は、前記回転軸に直交する面内で回動するレバーを備え、前記レバーの位置により、対応の前記部品のロックとロック解除を行うように構成され、前記レバーは、スプリングによって付勢されて、対応の前記部品をロックし、前記コマ玩具保持体に装着される前記キャップにより前記レバーを前記スプリングの付勢力に抗して回動させてロックを解除することを特徴とする。
【００１０】
第４の手段は、第１の手段〜第３の手段のいずれか一の手段において、前記第１ロック機構及び前記第１ロック機構で前記操作子をロックすることを特徴とする。
【００１１】
第５の手段は、第４の手段において、前記操作子は前記回転軸に直交する面内で回動する操作レバーから構成されていることを特徴とする。
【００１２】
第６の手段は、第１の手段〜第５の手段のいずれか一の手段において、前記回転駆動装置は、前記コマ玩具保持体を回転させることで巻き上げられ、前記操作子の操作によって解旋されるゼンマイばねを動力源として備えていることを特徴とする。
【発明の効果】
【００１３】
第１の手段〜第６の手段のいずれか一の手段によれば、いずれかのコマ玩具保持体にキャップを装着しないと操作子が操作できない。また、いずれかのコマ玩具保持体にキャップを装着しても、装着したキャップが下側であると操作子が操作できない。このことは、コマ玩具を下側にした状態でなければコマ玩具が発射できないことを意味している。この結果、コマ玩具の誤発射を防止することができる。
【図面の簡単な説明】
【００１４】
【図１】本発明に係るコマ発射装置の一実施形態を示した斜視図である
【図２】コマ発射装置の分解斜視図である。
【図３】コマ発射装置の各部品を組み付けた状態の斜視図である。
【図４】第１ロック機構を示した平面図である。
【図５】第２ロック機構を示した側面図である。
【発明を実施するための形態】
【００１５】
以下、本発明のコマ発射装置を図面に示した実施形態に基づいて説明する。
【００１６】
《全体構成》
本実施形態のコマ発射装置は、図１に示すように、装置ケース１の相反する方向を向く面にコマ玩具保持体２，３を備えている。各コマ玩具保持体にはコマ玩具５０を装着できる。すなわち、コマ玩具５０の上面の弧状スリット５１にコマ玩具保持体２，３のフォーク２ａ，２ｂを差し込む。このフォーク２ａ，２ｂを弧状スリットの一端の幅狭部５１ａに係止する。
このコマ玩具保持体２，３は、図２に示すように、リミッタ４，５を介して回転軸６の両端に配設されている。この発射装置によれば、コマ玩具保持体２，３のいずれか１つにコマ玩具５０を装着させ、コマ玩具５０を下側にして、操作レバー７を操作すると、回転駆動装置１０が作動し、コマ玩具５０を回転させながら発射させることができる。すなわち、操作レバー７を操作すると、回転駆動装置１０が一時的に作動して停止する。その際、コマ玩具５０は慣性によって尚も回転するが、フォーク２ａ，２ｂが止まり弧状スリット５１の一端の幅広部５１ｂに至り、コマ玩具の係止が解除される。これにより、コマ玩具５０が発射される。
なお、コマ玩具保持体２にコマ玩具５０を装着するか、コマ玩具保持体３にコマ玩具５０を装着するかによって、発射されるコマ玩具５０の回転方向を変えることができる。また、コマ玩具５０を装着しない側のコマ玩具保持体にはキャップ８が被せられる。
【００１７】
《細部構成》
１．操作レバー７について
操作レバー７は回転駆動装置１０の作動のトリガとなるもので、指で操作できるように構成されている。
操作レバー７は装置ケース１に軸７ｂを介して取り付けられ、回転軸６に直交する面内で回動可能となっている。この操作レバー７は、後述のレバー１４と装置ケース１の固定部との間に掛けられたスプリング２５(図２参照)によって、レバー１４の他端１４ｂが圧接されることによって初期位置に向けて付勢されており、操作レバー７の操作は、スプリング２５の付勢力に抗してなされる。
【００１８】
２．回転駆動装置１０について
回転駆動装置１０は、回転軸６の両端に取り付けられたコマ玩具保持体２，３に回転力を付与するためのものであり、回転軸６や上記操作レバー７も回転駆動装置１０の動作部品を構成している。
回転駆動装置１０は、動力源であるゼンマイばね１１を備えている。ゼンマイばね１１は、装置ケース１内に形成された円筒状のばね収容部１ａに収容されている。このゼンマイばね１１は一端が回転軸６に係止され、他端がばね収容部１ａに係止されている。したがって、回転軸６が一方向に回転するとゼンマイばね１１が巻き上げられる。また、巻き上げられたゼンマイばね１１は、回転軸６が他方向に回転すると解旋される。
【００１９】
また、回転駆動装置１０はラチェット機構１３を備えている。ラチェット機構１３は、ゼンマイばね１１を徐々に巻き上げるために使用されている。
回転軸６には円板１２が固定して設けられている。円板１２の上面には、ラチェット機構１３の一方を構成するラチェット歯１３ａが形成されている。一方、装置ケース１には軸１４ａによってレバー１４が取り付けられている。レバー１４の一端には、ラチェット機構１３の他方を構成するラチェット爪１３ｂが形成されている。そして、図３に示すように、ラチェット爪１３ｂはスプリング２５によってラチェット歯１３ａに噛合状態に維持されている。
【００２０】
さらに、レバー１４の他端１４ｂは操作レバー７に対向設置され、操作レバー７を操作したとき、その操作レバー７でレバー１４を作動させてラチェット爪１３ｂとラチェット歯１３ａとの噛合を解除する。
【００２１】
３．キャップ８について
キャップ８は、コマ玩具保持体２，３の一方に装着されて、後述の第１ロック機構２０や第２ロック機構３０による操作レバー７のロックを解除するものである。
キャップ８は、下端周面に下方に突出する爪８ａを２つ備えている。爪８ａはキャップ８の中心軸に対して対象の位置に設けられている。
キャップ８はフレキシブル帯８ｂを備えている。フレキシブル帯８ｂの先端にはボール状係合部８ｃが形成されている。そして、このキャップ８は、ボール状係合部８ｃを装置ケース１の側壁に形成した弧状孔１ｂに陥入させることによって保持されている。このキャップ８は上下で反転させることができるとともに、回転軸６を中心に所定方向に回転させることができる。これによって、キャップ８を上下のコマ玩具保持体２，３に選択的に装着することができる。また、爪８ａを装置ケース１に形成した矩形孔１ｃに挿嵌させ、回転軸６を中心にキャップ８を所定方向に回転させることによって、装置ケース１に係止させることができる。このような構造とするため、装置ケース１には、矩形孔１ｃに連なる弧状スリット１ｄが形成されている。
【００２２】
４．第１ロック機構２０について
第１ロック機構２０は、キャップ８がコマ玩具保持体２，３のいずれにも装着されていないときに操作レバー７をロックし、キャップ８がコマ玩具保持体２，３のいずれかに装着されているときにはキャップ８に係合してそのロックを解除する。
第１ロック機構２０は、図４に示すように、軸２１ａによって支持され回転軸６に対して垂直な面内で回動するレバー２１を備えている。レバー２１は、スプリング２２によって付勢され、常態では、自由端部２１ｂが操作レバー７の先端部７ａに当接されて操作レバー７をロックする。そして、このレバー２１は、キャップ８の爪８ａを装置ケース１の矩形孔１ｂに挿嵌させ、回転軸６を中心にキャップ８を所定方向に回転させる際に、爪８ａが角部２１ｃに摺接してスプリング２２の付勢力に抗して回動され、自由端部２１ｂが操作レバー７の先端部７ａから離れてロックが解除される。
【００２３】
５．第２ロック機構３０について
第２ロック機構３０は、コマ玩具保持体２，３のいずれかに装着されたキャップ８が下側にあるときにキャップ８に係合して操作レバー７をロックし、当該キャップ８が上側にあるときにはロックを解除する。
第２ロック機構３０は、図５(Ａ)，(Ｂ)に示すように、軸３２によって支持され回転軸６に対して平行な面内で回動するシーソ体３１を備えている。
シーソ体３１は、軸３２に対してアーム３１ａの軸回りのモーメントの方がアーム３１ｂのそれよりも大きくなるように設定されている。そして、シーソ体３１は、コマ玩具保持体２，３にキャップ８が装着されていない状態でコマ玩具保持体２，３を上下に位置させたときには、重力によって、アーム３１ａの先端が下動し、アーム３１ｂの先端が上動するように回動する。この状態では、アーム３１ｂの先端部が操作レバー７の突起７ｃの移動域から離脱してロックを解除する(図５(Ｂ)参照)。一方、シーソ体３１は、コマ玩具保持体２，３にキャップ８が装着されている側のコマ玩具保持体２又は３を下側にしたときには、アーム３１ａの先端の下動がキャップ８の爪８ａによって途中で阻止され、アーム３１ｂの先端が操作レバー７の突起７ｂの移動域に位置して操作レバー７をロックする(図５(Ａ)参照)。また、シーソ体３１は、コマ玩具保持体２，３にキャップ８が装着されている側のコマ玩具保持体２又は３を上側にしたときには、アーム３１ａの先端の下動がキャップ８の爪８ａによって途中で阻止されないので、アーム３１ｂの先端部が操作レバー７の突起７ｃの移動域から離脱してロックを解除する。
【００２４】
《実施形態の作用及び効果》
本実施形態のコマ発射装置によれば、コマ玩具保持体２，３のいずれかを回転すれば、ゼンマイばね１１が巻き上げられる。
また、コマ玩具保持体２，３の一方にコマ玩具５０を装着し、他方にキャップ８をする。すると、キャップ８の爪８ａによってレバー２１がスプリング２２の付勢力に抗して回動され、レバー２１の自由端部２１ｂが操作レバー７の先端部７ａから離脱されて第１ロック機構２０のロックが解除される。
【００２５】
また、コマ玩具保持体２又は３に装着されたコマ玩具５０を下側にすると、シーソ体３１が重力によって回動され、それによってアーム３１ａが下動し他方の端部１ｂが操作レバー７の回動域から離脱されてロックが解除される。これによって、第２ロック機構３０のロックが解除される。
したがって、操作レバー７を操作すれば、コマ玩具を発射することができる。
なお、コマ玩具５０を上方に向けた状態では、シーソ体３１の回動がキャップ８０の爪８ａによって阻止されるため、第２のロック手段３０のロックは解除されない。
したがって、操作レバー７の操作はできず、コマ玩具５０が誤発射されることはない。
【００２６】
《発明の変形例》
以上、本発明の実施形態について説明したが、本発明は、かかる実施形態に限定されず、その要旨を逸脱しない範囲で種々変形可能であることはいうまでもない。
例えば、上記実施形態では、回転駆動装置１０の動力源としてゼンマイばね１１を用いたが、モータを用いる場合にも適用できる。また、常態でゼンマイばねによって回転体に巻回された紐（操作子）を引くことによって回転軸を介してコマ玩具保持体を回転させるものにも適用できる。さらには、ラックベルト（操作子）によってピニオン及び回転軸を含む回転駆動装置を作動させてコマ玩具保持体を回転させるものにも適用できる。また、ロックする部品は、直線運動する部品であってもよい。
【符号の説明】
【００２７】
１  装置ケース
１ａ  ばね収容部
２，３  コマ玩具保持体
６  回転軸
７  操作レバー
８  キャップ
１１  ゼンマイばね
１３  ラチェット機構
１４  レバー
２０  第１ロック機構
２１  レバー
３０  第２ロック機構
３１  シーソ体
３１ａ，３１ｂ  アーム
【図１】
2020068970.tif 000003
【図２】
2020068970.tif 000004
【図３】
2020068970.tif 000005
【図４】
2020068970.tif 000006
【図５】
2020068970.tif 000007
【手続補正書】
【提出日】令和1年12月3日(2019.12.3)
【手続補正１】
【補正対象書類名】明細書
【補正対象項目名】０００９
【補正方法】変更
【補正の内容】
【０００９】
第３の手段は、第１の手段又は第２の手段において、前記第１ロック機構は、前記回転軸に直交する面内で回動するレバーを備え、前記レバーの位置により、対応の前記部品のロックとロック解除を行うように構成され、前記レバーは、スプリングによって付勢されて、対応の前記部品をロックし、前記コマ玩具保持体に装着される前記キャップにより前記レバーを前記スプリングの付勢力に抗して回動させてロックを解除することを特徴とする。
【手続補正２】
【補正対象書類名】明細書
【補正対象項目名】００１０
【補正方法】変更
【補正の内容】
【００１０】
第４の手段は、第１の手段〜第３の手段のいずれか一の手段において、前記第１ロック機構で前記操作子をロックすることを特徴とする。
【手続補正３】
【補正対象書類名】特許請求の範囲
【補正対象項目名】全文
【補正方法】変更
【補正の内容】
【特許請求の範囲】
【請求項１】
１つの回転軸の両端に設けられた２つのコマ玩具保持体と、
操作子及び前記回転軸を含み、前記操作子の操作によって作動されて前記回転軸を介して前記２つのコマ玩具保持体を回転させる回転駆動装置と、
いずれか１つの前記コマ玩具保持体に装着されるキャップと、
前記キャップが前記コマ玩具保持体に装着されていないときに前記回転駆動装置内の動作部品及び前記コマ玩具保持体のいずれか１つの部品をロックして前記コマ玩具保持体の回転を阻止し、前記キャップが前記コマ玩具保持体に装着されているときに当該キャップに係合してそのロックを解除する第１ロック機構と、
前記コマ玩具保持体に装着された前記キャップが下側にあるときに当該キャップに係合して前記回転駆動装置内の動作部品及び前記コマ玩具保持体のいずれか１つの部品をロックして前記コマ玩具保持体の回転を阻止し、当該キャップが上側にあるときにそのロックを解除する第２ロック機構と、
を備えていることを特徴とするコマ発射装置。
【請求項２】
前記第２ロック機構は、前記回転軸に平行な面内で回動するシーソ体を備え、前記シーソ体は、一側のアームが他側のアームよりも軸回りの回転モーメントが大きく設定され重力作用によって回動されるように構成されるとともに、前記他側のアームの位置により、対応の前記部品のロックとロック解除を行うように構成され、前記他側のアームは、前記キャップによる前記シーソ体の回動規制により、対応の前記部品をロックし、前記シーソ体の回動規制解除によりロックを解除することを特徴とする請求項１に記載のコマ発射装置。
【請求項３】
前記第１ロック機構は、前記回転軸に直交する面内で回動するレバーを備え、前記レバーの位置により、対応の前記部品のロックとロック解除を行うように構成され、前記レバーは、スプリングによって付勢されて、対応の前記部品をロックし、前記コマ玩具保持体に装着される前記キャップにより前記レバーを前記スプリングの付勢力に抗して回動させてロックを解除することを特徴とする請求項１又は請求項２に記載のコマ発射装置。
【請求項４】
前記第１ロック機構で前記操作子をロックすることを特徴とする請求項１〜３のいずれか一項に記載のコマ発射装置。
【請求項５】
前記操作子は前記回転軸に直交する面内で回動する操作レバーから構成されていることを特徴とする請求項４に記載のコマ発射装置。
【請求項６】
前記回転駆動装置は、前記コマ玩具保持体を回転させることで巻き上げられ、前記操作子の操作によって解旋されるゼンマイばねを動力源として備えていることを特徴とする請求項１〜５のいずれか一項に記載のコマ発射装置。
【手続補正書】
【提出日】令和2年1月21日(2020.1.21)
【手続補正１】
【補正対象書類名】明細書
【補正対象項目名】０００７
【補正方法】変更
【補正の内容】
【０００７】
第１の手段は、
１つの回転軸の両端に設けられた２つのコマ玩具保持体と、
操作子及び前記回転軸を含み、前記操作子の操作によって作動されて前記回転軸を介して前記２つのコマ玩具保持体を回転させる回転駆動装置と、
いずれか１つの前記コマ玩具保持体に装着されるキャップと、
前記キャップが前記コマ玩具保持体に装着されていないときに前記回転駆動装置内の動作部品及び前記コマ玩具保持体のいずれか１つの部品をロックして前記コマ玩具保持体の回転を阻止し、前記キャップが前記コマ玩具保持体に装着されているときに当該キャップに係合してそのロックを解除する第１ロック機構と、
前記コマ玩具保持体に装着された前記キャップが下側にあるときに当該キャップに係合して前記回転駆動装置内の動作部品及び前記コマ玩具保持体のいずれか１つの部品をロックして前記コマ玩具保持体の回転を阻止し、当該キャップが上側にあるときにそのロックを解除する第２ロック機構と、
を備え、
前記第２ロック機構は、前記回転軸に平行な面内で回動するシーソ体を備え、前記シーソ体は、一側のアームが他側のアームよりも軸回りの回転モーメントが大きく設定され重力作用によって回動されるように構成されるとともに、前記他側のアームの位置により、対応の前記部品のロックとロック解除を行うように構成され、前記他側のアームは、前記キャップによる前記シーソ体の回動規制により、対応の前記部品をロックし、前記シーソ体の回動規制解除によりロックを解除することを特徴とするコマ発射装置である。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
第２の手段は、第１の手段において、前記第１ロック機構は、前記回転軸に直交する面内で回動するレバーを備え、前記レバーの位置により、対応の前記部品のロックとロック解除を行うように構成され、前記レバーは、スプリングによって付勢されて、対応の前記部品をロックし、前記コマ玩具保持体に装着される前記キャップにより前記レバーを前記スプリングの付勢力に抗して回動させてロックを解除することを特徴とする。
【手続補正４】
【補正対象書類名】明細書
【補正対象項目名】００１０
【補正方法】変更
【補正の内容】
【００１０】
第３の手段は、第１の手段又は第２の手段において、前記第１ロック機構で前記操作子をロックすることを特徴とする。
【手続補正５】
【補正対象書類名】明細書
【補正対象項目名】００１１
【補正方法】変更
【補正の内容】
【００１１】
第４の手段は、第３の手段において、前記操作子は前記回転軸に直交する面内で回動する操作レバーから構成されていることを特徴とする。
【手続補正６】
【補正対象書類名】明細書
【補正対象項目名】００１２
【補正方法】変更
【補正の内容】
【００１２】
第５の手段は、第１の手段〜第４の手段のいずれか一の手段において、前記回転駆動装置は、前記コマ玩具保持体を回転させることで巻き上げられ、前記操作子の操作によって解旋されるゼンマイばねを動力源として備えていることを特徴とする。
【手続補正７】
【補正対象書類名】明細書
【補正対象項目名】００１３
【補正方法】変更
【補正の内容】
【００１３】
第１の手段〜第５の手段のいずれか一の手段によれば、いずれかのコマ玩具保持体にキャップを装着しないと操作子が操作できない。また、いずれかのコマ玩具保持体にキャップを装着しても、装着したキャップが下側であると操作子が操作できない。このことは、コマ玩具を下側にした状態でなければコマ玩具が発射できないことを意味している。この結果、コマ玩具の誤発射を防止することができる。
【手続補正８】
【補正対象書類名】特許請求の範囲
【補正対象項目名】全文
【補正方法】変更
【補正の内容】
【特許請求の範囲】
【請求項１】
１つの回転軸の両端に設けられた２つのコマ玩具保持体と、
操作子及び前記回転軸を含み、前記操作子の操作によって作動されて前記回転軸を介して前記２つのコマ玩具保持体を回転させる回転駆動装置と、
いずれか１つの前記コマ玩具保持体に装着されるキャップと、
前記キャップが前記コマ玩具保持体に装着されていないときに前記回転駆動装置内の動作部品及び前記コマ玩具保持体のいずれか１つの部品をロックして前記コマ玩具保持体の回転を阻止し、前記キャップが前記コマ玩具保持体に装着されているときに当該キャップに係合してそのロックを解除する第１ロック機構と、
前記コマ玩具保持体に装着された前記キャップが下側にあるときに当該キャップに係合して前記回転駆動装置内の動作部品及び前記コマ玩具保持体のいずれか１つの部品をロックして前記コマ玩具保持体の回転を阻止し、当該キャップが上側にあるときにそのロックを解除する第２ロック機構と、
を備え、
前記第２ロック機構は、前記回転軸に平行な面内で回動するシーソ体を備え、前記シーソ体は、一側のアームが他側のアームよりも軸回りの回転モーメントが大きく設定され重力作用によって回動されるように構成されるとともに、前記他側のアームの位置により、対応の前記部品のロックとロック解除を行うように構成され、前記他側のアームは、前記キャップによる前記シーソ体の回動規制により、対応の前記部品をロックし、前記シーソ体の回動規制解除によりロックを解除することを特徴とするコマ発射装置。
【請求項２】
前記第１ロック機構は、前記回転軸に直交する面内で回動するレバーを備え、前記レバーの位置により、対応の前記部品のロックとロック解除を行うように構成され、前記レバーは、スプリングによって付勢されて、対応の前記部品をロックし、前記コマ玩具保持体に装着される前記キャップにより前記レバーを前記スプリングの付勢力に抗して回動させてロックを解除することを特徴とする請求項１に記載のコマ発射装置。
【請求項３】
前記第１ロック機構で前記操作子をロックすることを特徴とする請求項１又は請求項２に記載のコマ発射装置。
【請求項４】
前記操作子は前記回転軸に直交する面内で回動する操作レバーから構成されていることを特徴とする請求項３に記載のコマ発射装置。
【請求項５】
前記回転駆動装置は、前記コマ玩具保持体を回転させることで巻き上げられ、前記操作子の操作によって解旋されるゼンマイばねを動力源として備えていることを特徴とする請求項１〜４のいずれか一項に記載のコマ発射装置。